(57)【要約】【課題】無線基地局装置において、収集処理の負荷を小さくすると共に最新の動作情報を収集することを目的とする。【解決手段】自装置で行う処理の動作情報を蓄積するデータベースは、動作情報と共に取得日時及び有効期間を格納し、制御管理部は、外部装置から供給される動作情報の読み出し要求により、データベースから要求の動作情報を読み出す動作情報読み出し手段と、データベースから前記要求の動作情報と共に読み出される取得日時及び有効期間から要求の動作情報が有効期間を過ぎているかを判定する判定手段と、要求の動作情報が有効期間を過ぎている場合に要求の動作情報を対応する手段から読み出してデータベースを更新する動作情報更新手段と、データベースから読み出した又はデータベースを更新する要求の動作情報を外部装置に応答として送信する応答送信手段を有する。【選択図】    図１０
2011114756.tif 000002
【特許請求の範囲】
【請求項１】
ネットワークに接続されて外部装置との通信を行う無線基地局装置であって、
前記通信の制御及びデータベースに自装置で行う処理の動作情報を蓄積して管理する制御管理部を有し、
前記データベースは、前記動作情報と共に取得日時及び有効期間を格納し、
前記制御管理部は、
前記外部装置から供給される動作情報の読み出し要求により、前記データベースから要求の動作情報を読み出す動作情報読み出し手段と、
前記データベースから前記要求の動作情報と共に読み出される取得日時及び有効期間から前記要求の動作情報が有効期間を過ぎているかを判定する判定手段と、
前記要求の動作情報が有効期間を過ぎている場合に前記要求の動作情報を対応する手段から読み出して前記データベースを更新する動作情報更新手段と、
前記データベースから読み出した又は前記データベースを更新する要求の動作情報を前記外部装置に応答として送信する応答送信手段を有する
ことを特徴とする無線基地局装置。
【請求項２】
請求項１記載の無線基地局装置において、
前記動作情報更新手段は、前記要求の動作情報を対応する手段から複数同時に読み出すことを特徴とする無線基地局装置。
【請求項３】
ネットワークに接続されて外部装置との通信を行う無線基地局装置であって、
前記通信の制御及びデータベースに自装置で行う処理の動作情報を蓄積して管理する制御管理部を有し、
前記データベースに蓄積された各動作情報に対応して取得部位を予め定義し、
前記制御管理部は、
前記外部装置から供給される動作情報の読み出し要求で指示された要求の動作情報の取得部位が前記データベースであるとき前記データベースから要求の動作情報を読み出す動作情報読み出し手段と、
前記要求の動作情報の取得部位が前記データベース以外であるとき前記各手段の取得部位から前記要求の動作情報を読み出して前記データベースを更新する動作情報更新手段と、
前記データベースから読み出した要求の動作情報又は前記データベースを更新する要求の動作情報を前記外部装置に応答として送信する応答送信手段を有する
ことを特徴とする無線基地局装置。
【請求項４】
請求項３記載の無線基地局装置において、
前記動作情報更新手段は、前記取得部位から前記要求の動作情報を複数同時に読み出すことを特徴とする無線基地局装置。
【請求項５】
請求項１乃至４のいずれか１項記載の無線基地局装置において、
無線信号の送受信を行う無線送受信手段と、ネットワークに接続されて外部装置との通信を行う通信手段と、前記無線送受信手段及び前記通信手段と接続され上りリンク及び下りリンクのベースバンド処理を行う信号処理手段それぞれは、定期的に自手段の動作情報を前記制御管理部に送信して前記データベースを更新する動作情報定期更新手段を有する
ことを特徴とする無線基地局装置。
【請求項６】
ネットワークに接続されて外部装置との通信を行う無線基地局装置の動作情報収集方法であって、
前記無線基地局装置は、前記通信の制御及びデータベースに自装置で行う処理の動作情報を蓄積して管理する制御管理部を有し、
前記データベースに前記動作情報と共に取得日時及び有効期間を格納し、
前記制御管理部は、前記外部装置から供給される動作情報の読み出し要求により、前記データベースから要求の動作情報を読み出し、
前記データベースから前記要求の動作情報と共に読み出される取得日時及び有効期間から前記要求の動作情報が有効期間を過ぎているかを判定し、
前記要求の動作情報が有効期間を過ぎている場合に前記要求の動作情報を対応する手段から読み出して前記データベースを更新し、
前記データベースから読み出した又は前記データベースを更新する要求の動作情報を前記外部装置に応答として送信する
ことを特徴とする動作情報収集方法。
【請求項７】
ネットワークに接続されて外部装置との通信を行う無線基地局装置の動作情報収集方法であって、
前記無線基地局装置は、前記通信の制御及びデータベースに自装置で行う処理の動作情報を蓄積して管理する制御管理部を有し、
前記データベースに蓄積された各動作情報に対応して取得部位を予め定義し、
前記制御管理部は、前記外部装置から供給される動作情報の読み出し要求で指示された要求の動作情報の取得部位が前記データベースであるとき前記データベースから要求の動作情報を読み出し、
前記要求の動作情報の取得部位が前記データベース以外であるとき前記各手段の取得部位から前記要求の動作情報を読み出して前記データベースを更新し、
前記データベースから読み出した要求の動作情報又は前記データベースを更新する要求の動作情報を前記外部装置に応答として送信する
ことを特徴とする動作情報収集方法。
【発明の詳細な説明】
【技術分野】
【０００１】
本発明は、無線基地局装置及びその動作情報収集方法に関する。
【背景技術】
【０００２】
ＬＴＥ（Ｌｏｎｇ  Ｔｅｒｍ  Ｅｖｏｌｕｔｉｏｎ）システム等の移動体通信システムの無線基地局装置（ｅＮＢ）は、上位交換機との接続及びベースバンド処理を行う無線装置制御部（ＢＢＵ：Ｂａｓｅ  Ｂａｎｄ  Ｕｎｉｔ）と、移動端末との無線接続を行う無線装置（ＲＲＨ：Ｒｅｍｏｔｅ  Ｒａｄｉｏ  Ｈｅａｄ）とに分離した構成をとることが多い。
【０００３】
図１は無線基地局装置の一例のブロック構成図を示す。無線基地局装置は無線装置制御部１と無線装置２を有している。無線装置制御部１はハイウェイ部３、制御管理部４、ベースバンド処理部５を有している。ハイウェイ部３はネットワークを介して上位交換機であるＳ−ＧＷ（Ｓｅｒｖｉｎｇ−Ｇａｔｅｗａｙ）やＭＭＥ（Ｍｏｂｉｌｉｔｙ  Ｍａｎａｇｅｍｅｎｔ  Ｅｎｔｉｔｙ）に接続されると共に保守装置に接続されており、また、無線装置制御部１内の制御管理部４，ベースバンド処理部（ＢＢ部）５と接続されている。ハイウェイ部３はＳ−ＧＷ，ＭＭＥ，保守装置との間で情報の送受信を行う。
【０００４】
制御管理部４は、無線装置制御部１及び無線装置２内の各部を接続されており、呼制御や無線基地局装置内の各部の制御を行う。また、制御管理部４は無線基地局装置内の各部の動作情報を管理する。ベースバンド処理部５は無線装置２と接続されると共にハイウェイ部３を介してＳ−ＧＷと接続され、上りリンク及び下りリンクのベースバンド処理を行う。
【０００５】
無線装置２はアンテナ制御部６を有している。アンテナ制御部６はアンテナ７を用いて無線信号の送受信を行う。なお、ハイウェイ部３、制御管理部４、ベースバンド処理部５、アンテナ制御部６それぞれは一又は複数のプロセッサを有しており、各プロセッサは無線基地局装置で実行する処理を分散している。
【０００６】
図２は従来のトラヒックデータ収集報告の一例のシーケンスを示す。図２において、制御管理部４は一定間隔Ｔ１毎にベースバンド処理部５，アンテナ制御部６，ハイウェイ部３それぞれにＩＰアドレスやトラヒックデータ等の動作情報の収集要求を出す。ベースバンド処理部５，アンテナ制御部６，ハイウェイ部３はそれぞれで実行するの処理の合間に自らの動作情報を収集要求の応答に含めて制御管理部４に送信する。
【０００７】
制御管理部４はベースバンド処理部５，アンテナ制御部６，ハイウェイ部３それぞれから収集要求の応答を受け取り、この応答に含まれる動作情報を制御管理部４内のデータベースに蓄積する。上記の動作情報の収集は更新されていない情報を含めて、一定間隔Ｔ１毎に常に全対象項目を収集する。データベースには複数回にわたって収集された動作情報が蓄積され、一定量を超過した動作情報は古いものから順に削除する。
【０００８】
制御管理部４は外部の保守装置からネットワークを介してＩＰアドレスやトラヒックデータを指定した読み出し要求を受信すると、制御管理部４内のデータベースに蓄積しているＩＰアドレスやトラヒックデータをＩＰアドレス報告やトラヒックデータ報告として要求元の保守装置に送信する。
【０００９】
なお、ＩＰアドレスに対応するノードが唯一又は複数アドレスのいずれの管理条件を有するかを判定し、各ノードの管理条件に合致する管理方式に切替えるネットワーク管理システムが提案されている（例えば特許文献１参照）。
【先行技術文献】
【特許文献】
【００１０】
【特許文献１】特開２０００−１５１５９９号公報
【発明の概要】
【発明が解決しようとする課題】
【００１１】
動作情報の収集は全対象項目を収集するため、一定間隔Ｔ１は例えば１０ｍｉｎ程度と長めに設定されている。このように収集周期が長いと制御管理部４内のデータベースに蓄積されている動作情報が古くなり、ベースバンド処理部５，アンテナ制御部６，ハイウェイ部３それぞれにおける実際の動作情報と食い違うことになる。また、収集周期を短くすると定常的な収集のための収集処理の負荷が大きくなるという問題があった。
【００１２】
開示の無線基地局装置は、収集処理の負荷を小さくすると共に最新の動作情報を収集できることを目的とする。
【課題を解決するための手段】
【００１３】
開示の一実施形態による無線基地局装置は、ネットワークに接続されて外部装置との通信を行う無線基地局装置であって、
前記通信の制御及びデータベースに自装置で行う処理の動作情報を蓄積して管理する制御管理部を有し、
前記データベースは、前記動作情報と共に取得日時及び有効期間を格納し、
前記制御管理部は、
前記外部装置から供給される動作情報の読み出し要求により、前記データベースから要求の動作情報を読み出す動作情報読み出し手段と、
前記データベースから前記要求の動作情報と共に読み出される取得日時及び有効期間から前記要求の動作情報が有効期間を過ぎているかを判定する判定手段と、
前記要求の動作情報が有効期間を過ぎている場合に前記要求の動作情報を対応する手段から読み出して前記データベースを更新する動作情報更新手段と、
前記データベースから読み出した又は前記データベースを更新する要求の動作情報を前記外部装置に応答として送信する応答送信手段を有する。
【発明の効果】
【００１４】
本実施形態によれば、収集処理の負荷を小さくすると共に最新の動作情報を収集することができる。
【図面の簡単な説明】
【００１５】
【図１】無線基地局装置の一例のブロック構成図である。
【図２】従来のトラヒックデータ収集報告の一例のシーケンスを示す図である。
【図３】無線基地局装置の一実施形態の構成図である。
【図４】制御管理部の一実施形態の構成図である。
【図５】ハイウェイ部の一実施形態の構成図である。
【図６】ＭＩＢ−ＤＢの一実施形態のデータ構成図である。
【図７】データ属性テーブルの一実施形態のデータ構成図である。
【図８】ＩＰアドレス収集動作の一実施形態のシーケンスである。
【図９】定期収集動作の一実施形態のシーケンスである。
【図１０】新規データ収集動作の一実施形態のシーケンである。
【図１１】新規データ収集動作の他の実施形態のシーケンスである。
【図１２】新規データ収集動作の更に他の実施形態のシーケンスである。
【図１３】複合データ収集動作の一実施形態のシーケンスである。
【図１４】ＭＩＢ−ＤＢの他の実施形態のデータ構成図である。
【発明を実施するための形態】
【００１６】
以下、図面に基づいて実施形態を説明する。
【００１７】
＜無線基地局装置の構成＞
図３は無線基地局装置の一実施形態の構成図を示す。図３において、無線基地局装置１０は無線装置制御部１１と無線装置１２を有している。無線装置制御部１１はハイウェイ部１３、制御管理部１４、ベースバンド処理部１５を有している。ハイウェイ部１３はネットワーク２０を介して上位交換機であるＳ−ＧＷ２１やＭＭＥ２２に接続されると共に保守装置２３，ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ２４に接続されており、また、無線装置制御部１１内の制御管理部１４，ベースバンド処理部（ＢＢ部）１５と接続されている。ハイウェイ部１３はＳ−ＧＷ２１，ＭＭＥ２２，保守装置２３，ＤＨＣＰサーバ２４との間で情報の送受信を行う。
【００１８】
制御管理部１４は、無線基地局装置１０及び無線装置１２内の各部を接続されており、呼制御や無線基地局装置１０内の各部の制御を行う。また、制御管理部１４は無線基地局装置１０内の各部の動作情報を管理する。ベースバンド処理部１５は無線装置１２と接続されると共にハイウェイ部１３を介してＳ−ＧＷ２１と接続され、上りリンク及び下りリンクのベースバンド処理を行う。
【００１９】
制御管理部１４はＭＩＢ（Ｍａｎａｇｅｍｅｎｔ  Ｉｎｆｏｒｍａｔｉｏｎ  Ｂａｓｅ）を実装して無線基地局装置１０全体の動作情報をＭＩＢ−ＤＢ（ＭＩＢ−Ｄａｔａ  Ｂａｓｅ）４０にて集中管理し、ＭＩＢ−ＤＢ４０はＳＮＭＰ（Ｓｉｍｐｌｅ  Ｎｅｔｗｏｒｋ  Ｍａｎａｇｅｍｅｎｔ  Ｐｒｏｔｏｃｏｌ）でアクセスする。なお、ＭＩＢ−ＤＢ４０については図４、図６と共に後述する。
【００２０】
無線装置１２はアンテナ制御部１６を有している。アンテナ制御部１６はアンテナ１７を用いて無線信号の送受信を行う。なお、ハイウェイ部１３、制御管理部１４、ベースバンド処理部１５、アンテナ制御部１６それぞれは、一又は複数のプロセッサを有しており、各プロセッサにて無線基地局装置１０が実行する処理を分散している。
【００２１】
＜制御管理部の構成＞
図４は制御管理部１４の一実施形態の構成図を示す。図中、破線の矢印はデータ参照を示し、一点鎖線の矢印はデータ更新を示し、実線の矢印は処理要求と情報報告を示している。
【００２２】
図４において、プロセッサ間通信部３１は無線基地局装置１０内における各部のプロセッサとの間の通信制御を行う。データ収集部３２はデータ編集部３３からの指示により、ＭＩＢ−ＤＢ４０における有効期間を過ぎたデータについて各部（ハイウェイ部１３，ベースバンド処理部１５，アンテナ制御部１６）のデータ収集部に対し最新データ（動作情報）の収集を指示する。この際にデータ属性テーブル４１を参照する。データ収集部３２は収集した最新データにてＭＩＢ−ＤＢ４０を更新し、更新完了をデータ編集部３３に通知する。
【００２３】
データ編集部３３はＳＮＭＰ制御部３７からの要求でＭＩＢ−ＤＢ４０のデータを編集する。データ編集部３３はＭＩＢ−ＤＢ４０の各データのタイムスタンプが有効期間内であるかを確認し、有効期間を過ぎたデータについてはデータ収集部３２に収集を指示する。データ編集部３３はデータ収集部３２から収集完了通知を受信した後データの編集を続行し、編集データをＳＮＭＰ制御部３７に送信する。
【００２４】
データ更新部３４は無線基地局装置１０内の各部（ハイウェイ部１３，ベースバンド処理部１５，アンテナ制御部１６）のプロセッサから定期又は不定期にデータ更新要求を受信し、受信したデータ更新要求にしたがってＭＩＢ−ＤＢ４０を更新する。通信基本デーモン３５は内線ＬＡＮを用いて無線基地局装置１０内の各部（ハイウェイ部１３，ベースバンド処理部１５，アンテナ制御部１６）と信号の送受信を行う。
【００２５】
ＳＮＭＰデーモン３６はＳＮＭＰメッセージの送受信を行い、ＳＮＭＰプロトコルの制御を行う。ＳＮＭＰ制御部３７はＳＮＭＰデーモン３６からＳＮＭＰによる要求を受信し無線基地局装置１０として必要なＳＮＭＰ制御を行う。
【００２６】
呼制御部３８は呼処理ＤＢ（Ｄａｔａ  Ｂａｓｅ）４２を用いて呼制御を行う。このために、呼制御部３８はハイウェイ部１３とベースバンド処理部１５に呼を接続するための設定を行い、ハイウェイ部１３にＧＴＰ（ＧＰＲＳ  Ｔｕｎｎｅｌｉｎｇ  Ｐｒｏｔｏｃｏｌ）毎の内線ＩＰアドレスと外線ＩＰアドレスの変換テーブルの設定を行う。網情報制御部３９は自無線基地局装置、周辺無線基地局装置、対向保守装置、上位交換機等のＩＰアドレス等の管理を行う。なお、無線基地局装置１０は基地局装置、対向保守装置、上位交換機等の周辺装置とＩＰ通信を行うため、用途に応じて複数のＩＰアドレスを保持している。また、呼制御部３８はハイウェイ部１３に対しＤＨＣＰサーバ２４からのＩＰアドレス取得を指示する。
【００２７】
＜ハイウェイ部の構成＞
図５はハイウェイ部１３の一実施形態の構成図を示す。図中、破線の矢印はデータ参照を示し、一点鎖線の矢印はデータ更新を示し、実線の矢印は処理要求と情報報告を示している。
【００２８】
図５において、プロセッサ間通信部５１は無線基地局装置１０内における各部のプロセッサとの間の通信制御を行う。データ収集部５２は制御管理部１４からの問い合わせ、又は定期的に、ハイウェイ部１３内のハイウェイＤＢ６０に保持するデータを収集して応答データを生成する。定期データ更新部５３は予めスケジューリングされた周期でハイウェイＤＢ６０に保持する各種データを読み出し、読み出したデータを制御管理部１４に送信する。
【００２９】
ハイウェイ処理部５４は制御管理部１４からの指示によりＧＴＰ毎の内線ＩＰアドレスと外線ＩＰアドレスの変換テーブルの設定を行う。また、ハイウェイ処理部５４はハイウェイ部１３内の各部の設定を行い、ハイウェイＤＢ６０の設定（書き込み）及び読み出しを行う。
【００３０】
通信基本デーモン５５は外部ＬＡＮであるネットワーク２０及び内線ＬＡＮを用いてＩＰパケットの送受信を行う。また、通信基本デーモン３５は下りリンクの受信ＩＰパケットの受信数をカウントしてハイウェイＤＢ６０に格納する。受信信号受付部５６はプロセッサ間通信以外の信号（ＩＰパケット）を受信する。
【００３１】
優先制御部５７は通信サービスクラス等に応じて受信ＩＰパケットのバッファリング及び優先制御を行う。また、優先制御部５７は優先制御の結果によって廃棄された受信ＩＰパケットの廃棄数をカウントしてハイウェイＤＢ６０に格納する。暗号解読部５８は暗号化（ＩＰＳｅｃ：ＩＰ  Ｓｅｃｕｒｉｔｙ）されたパケットを解読する。
【００３２】
信号振分け部５９はＬ２（レイヤ２）／Ｌ３（レイヤ３）信号を解読して信号の振分けを行う。これにより、ＳＮＭＰメッセージは制御管理部１４向けに通信基本デーモン５５に送信し、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ），ＧＴＰ等はプロトコル制御部６１に送信する。プロトコル制御部６１は無線基地局装置に必要なＳＣＴＰ，ＧＴＰ，ＩＣＭＰ（Ｉｎｔｅｒｎｅｔ  Ｃｏｎｔｒｏｌ  Ｍｅｓｓａｇｅ  Ｐｒｏｔｏｃｏｌ）等のプロトコルを具備しており、上りリンクの送信ＩＰパケットの送信数をカウントしてハイウェイＤＢ６０に格納する。
【００３３】
ＤＨＣＰ制御部６２はハイウェイ処理部５４からの要求により外部のＤＨＣＰサーバ２４から複数のＩＰアドレスを取得する。ＤＨＣＰ制御部６２は更新期限がくるとＤＨＣＰサーバ２４にアクセスして複数のＩＰアドレスの自動更新を行い、更新したことをハイウェイ処理部５４に通知する。
【００３４】
ＩＣＭＰ制御部６３はハイウェイ処理部５４からの要求でＩＣＭＰメッセージを送信し、また、必要なＩＣＭＰメッセージの送受信を行う。暗号化部６４は外部ＬＡＮに送出する信号に対し必要に応じて暗号化（ＩＰＳｅｃ）を行う。
【００３５】
＜ＭＩＢ−ＤＢの構成＞
図６にＭＩＢ−ＤＢ４０の一実施形態のデータ構成図を示す。ＭＩＢ−ＤＢ４０内では、ＯＩＤ（Ｏｂｊｅｃｔ  ＩＤ）毎に番号が付されている。各ＯＩＤにはＭＩＢ名、テーブル名、パラメータ名、取得日時のタイムスタンプ、有効期間（Ｅｘｐｉｒｅｄ  ｐｅｒｉｏｄ）、値（Ｖａｌｕｅ）、それぞれが設定されている。ここで、例えばテーブル名の「ｓ１Ｅｎｔｒｙ」は上位交換機とのリンク（上りリンク）を表し、「ｃｅｌｌＴａｂｌｅ」はセルテーブルを表し、「ＳｔａｔｅＣＮＴ」は制御管理部１４の状態を表し、「ＳｔａｔｅＢＢ」はベースバンド処理部１５の状態を表し、「ＳｔａｔｅＲＲＨ」は無線装置１２の状態を表している。
【００３６】
例えばパラメータ名の「ｓ１ＩＰａｄｏｒｅｓｓ」は上位交換機と通信するための自装置（ハイウェイ部１３）のＩＰアドレスを表し、「ｓ１ＬｉｎｋＳｔａｔｅ」は上位交換機とのリンクの状態を表し、「ｓ１ＳｅｎｄＰａｃｋｅｔ」は上位交換機に送信したＩＰパケット数を表し、「ｓ１ＬｏｓｓＰａｃｋｅｔ」は上位交換機に送信せず廃棄したＩＰパケット数を表す。
【００３７】
また、タイムスタンプは当該ＯＩＤの値（つまりデータ）を取得した日時を表す。有効期間の「ＮｏＬｉｍｉｔｅ」は値（つまりデータ）が最新であることが保証され期限チェック不要であることを表す。有効期間の「１０（ｓ）」は１０ｓｅｃを表す。
【００３８】
ところで、前述の制御管理部１４のデータ収集部３２は、保守装置２３から読み出し要求を受信した時刻と、読み出しを要求されたＯＩＤに対応するＭＩＢ−ＤＢ４０のタイムスタンプ及び有効期間を比較し、読み出し要求を受信した時刻がタイムスタンプの時刻に有効期間の時間を加算した時刻内であれば、当該ＯＩＤの値（Ｖａｌｕｅ）を読み出し要求の応答メッセージに設定して保守装置２３に送信する。
【００３９】
一方、読み出し要求を受信した時刻がタイムスタンプの時刻に有効期間の時間を加算した時刻を過ぎていれば、データ収集部３２はデータ属性テーブル４１を参照して当該データの保存場所（ハイウェイ部１３，ベースバンド処理部１５，アンテナ制御部１６等）に対して内部要求ＩＤと内部パラメータＩＤを指定した内部読み出し要求を行い、当該データの保存場所から最新のデータを読み出して読み出し要求の応答メッセージに設定して保守装置２３に送信すると共に、ＭＩＢ−ＤＢ４０の当該データとタイムスタンプの更新を行う。
【００４０】
＜データ属性テーブルの構成＞
図７にデータ属性テーブル４１の一実施形態のデータ構成図を示す。データ属性テーブル４１内では、ＯＩＤ毎に番号が付されている。各ＯＩＤにはデータ保存場所、内部要求ＩＤ、内部パラメータＩＤ、それぞれが設定されている。ここで、データ保存場所の「ＨＷ」はハイウェイ部１３を表し、「ＣＮＴ」は制御管理部１４を表し、「ＢＢ」はベースバンド処理部１５を表し、「ＲＲＨ」は無線装置１２を表している。
【００４１】
データ属性テーブル４１において、データ保存場所と内部要求ＩＤが同一のＯＩＤについては、制御管理部１４は１回の読み出し要求に複数の内部パラメータＩＤを指定することで、上記複数の内部パラメータＩＤの値（つまりデータ）を取得することができる。これにより、読み出し要求を出す回数を少なくすることができ、収集処理の負荷を小さくすることができる。
【００４２】
＜ＩＰアドレス収集＞
図８はＩＰアドレス収集動作の一実施形態のシーケンスを示す。図８において、ハイウェイ部１３のＤＨＣＰ制御部６２は、例えば制御管理部１４のＩＰアドレスの有効期間が満了したときＩＰアドレスの自動更新の要求をＤＨＣＰサーバ２４に送信する（ステップＳ１）。
【００４３】
ＤＨＣＰサーバ２４は新たな有効期間を付けたＩＰアドレスをハイウェイ部１３に送信し（ＩＰ払い出し）、ハイウェイ部１３は受信した制御管理部１４のＩＰアドレスを制御管理部１４に送信する（ステップＳ２）。
【００４４】
制御管理部１４は受信したＩＰアドレスを有効期間が満了した部位に設定して更新する（ステップＳ３）。なお、受信したＩＰアドレスが例えばベースバンド処理部１５のＩＰアドレスであれば、ステップＳ３はベースバンド処理部１５で実行される。
【００４５】
また、上記ＩＰアドレスをＭＩＢ−ＤＢ４０（の特定ＯＩＤのデータのＶａｌｕｅ）に書き込んで更新する（ステップＳ４）。このとき、ＭＩＢ−ＤＢ４０における上記ＩＰアドレスの有効期間は「ＮｏＬｉｍｉｔｅ」とされる。
【００４６】
この後、保守装置２３から例えば制御管理部１４のＩＰアドレス読み出しを指示する（制御管理部１４のＩＰアドレス格納部を示す特定ＯＩＤを含む）ＳＮＭＰメッセージが送信されると、このＳＮＭＰメッセージは無線装置制御部１１のハイウェイ部１３を介して制御管理部１４に供給される（ステップＳ５）。
【００４７】
制御管理部１４は受信したＳＮＭＰメッセージの指示に応じてＭＩＢ−ＤＢ４０から制御管理部１４のＩＰアドレスのデータを読み出す。このとき、制御管理部１４のＩＰアドレスの有効期間は「ＮｏＬｉｍｉｔｅ」である。このため、制御管理部１４はＭＩＢ−ＤＢ４０（の特定ＯＩＤのデータのＶａｌｕｅ）から読み出した制御管理部１４のＩＰアドレスを含むＩＰアドレス読み出し応答のＳＮＭＰメッセージを生成し（ステップＳ６）、ハイウェイ部１３を介して保守装置２３に送信する（ステップＳ７）。
【００４８】
このように、ＭＩＢ−ＤＢ４０のデータにタイムスタンプと有効期間を設け、例えば任意部位のＩＰアドレス等の読み出し要求があったとき当該ＩＰアドレスが有効期間内であれば、任意部位のＩＰアドレスを読み出してＭＩＢ−ＤＢ４０を更新するのではなく、ＭＩＢ−ＤＢ４０に蓄積されている任意部位のＩＰアドレスを読み出して応答するため、収集処理の負荷を小さくすることができる。
【００４９】
＜定期収集＞
図９は定期収集動作の一実施形態のシーケンスを示す。図９において、ハイウェイ部１３のデータ収集部５２は、自らの処理の合間に、定期的（例えば６０ｓｅｃ）に、例えば上りリンクＩＰカウンタ（送信ＩＰパケット数と廃棄ＩＰパケット数）を制御管理部１４に送信する（ステップＳ１１，Ｓ１３，Ｓ１５）。なお、上りリンクＩＰカウンタには送信ＩＰパケット数と廃棄ＩＰパケット数の他に受信ＩＰパケット数を追加しても良い。
【００５０】
制御管理部１４は受信した上りリンクＩＰカウンタ（送信ＩＰパケット数と廃棄ＩＰパケット数）をＭＩＢ−ＤＢ４０（の特定ＯＩＤのデータのＶａｌｕｅ）に書き込んで更新する（ステップＳ１２，Ｓ１４，Ｓ１６）。このとき、ＭＩＢ−ＤＢ４０における上記上りリンク送信ＩＰパケット数と廃棄ＩＰパケット数それぞれの有効期間は「１０（ｓ）」とされる。
【００５１】
この定期収集は、自らの処理の合間に定期的に行われ、制御管理部１４は上りリンクＩＰカウンタ読み出しをハイウェイ部１３に指示するわけではないため、収集処理の負荷を小さくすることができる。
【００５２】
＜新規データ収集：有効期間を超過＞
図１０は新規データ収集動作の一実施形態のシーケンスを示す。図１０において、保守装置２３から例えば上りリンクＩＰカウンタ（送信ＩＰパケット数と廃棄ＩＰパケット数、更に受信ＩＰパケット数を追加しても良い）の読み出しを要求するＳＮＭＰメッセージ（送信ＩＰパケット数と廃棄ＩＰパケット数を示す特定ＯＩＤを含む）が送信されると、このＳＮＭＰメッセージは無線装置制御部１１のハイウェイ部１３を介して制御管理部１４に供給される（ステップＳ２１）。
【００５３】
制御管理部１４は要求された上りリンクＩＰカウンタのデータをＭＩＢ−ＤＢ４０の特定ＯＩＤから読み出し、読み出したデータのタイムスタンプの値に有効期間の値を加算した値を現在時刻と比較することで、有効期間を過ぎているか否かを判定する（ステップＳ２２）。
【００５４】
有効期間を過ぎている場合には、制御管理部１４は上りリンクＩＰカウンタつまり上りリンクの送信ＩＰパケット数と廃棄ＩＰパケット数の最新値の読み出し要求（１回の要求）をハイウェイ部１３に送信する（ステップＳ２３）。
【００５５】
ハイウェイ部１３は上りリンクＩＰカウンタつまり上りリンクの送信ＩＰパケット数と廃棄ＩＰパケット数の最新値をハイウェイＤＢ６０から読み出して制御管理部１４に報告する（ステップＳ２４）。
【００５６】
制御管理部１４は受信した上りリンクの送信ＩＰパケット数と廃棄ＩＰパケット数の最新値をＭＩＢ−ＤＢ４０（の特定ＯＩＤのデータのＶａｌｕｅ）に書き込んで更新する（ステップＳ２５）。
【００５７】
その後、制御管理部１４は上記ＭＩＢ−ＤＢ４０の更新を確認すると、更新した上りリンクの送信ＩＰパケット数と廃棄ＩＰパケット数を含む上りリンクＩＰカウンタ読み出し応答のＳＮＭＰメッセージを生成し（ステップＳ２６）、ハイウェイ部１３を介して保守装置２３に送信する（ステップＳ２７）。
【００５８】
このように、ＭＩＢ−ＤＢ４０のデータにタイムスタンプと有効期間を設け、例えば上りリンクＩＰカウンタの読み出し要求があったとき当該上りリンクＩＰカウンタが有効期間を超えた場合にのみハイウェイ部１３から上りリンクＩＰカウンタを読み出すため、最新の動作情報を収集することができ、収集処理を最小限にとどめることができるので収集処理の負荷を小さくすることができる。
【００５９】
＜新規データ収集：有効期間内＞
図１１は新規データ収集動作の他の実施形態のシーケンスを示す。図１１において、保守装置２３から例えば上りリンクＩＰカウンタ（送信ＩＰパケット数と廃棄ＩＰパケット数、更に受信ＩＰパケット数を追加しても良い）の読み出しを要求するＳＮＭＰメッセージ（送信ＩＰパケット数と廃棄ＩＰパケット数を示す特定ＯＩＤを含む）が送信されると、このＳＮＭＰメッセージは無線装置制御部１１のハイウェイ部１３を介して制御管理部１４に供給される（ステップＳ３１）。
【００６０】
制御管理部１４は要求された上りリンクＩＰカウンタのデータをＭＩＢ−ＤＢ４０（の特定ＯＩＤ）から読み出し、読み出したデータのタイムスタンプに値に有効期間の値を加算した値を現在時刻と比較することで、有効期間を過ぎているか否かを判定する（ステップＳ３２）。
【００６１】
有効期間内である場合には、ＭＩＢ−ＤＢ４０から読み出した上りリンクＩＰカウンタつまり上りリンクの送信ＩＰパケット数と廃棄ＩＰパケット数を含む上りリンクＩＰカウンタ読み出し応答のＳＮＭＰメッセージを生成し（ステップＳ３３）、ハイウェイ部１３を介して保守装置２３に送信する（ステップＳ３４）。
【００６２】
＜新規データ収集：有効期間内の再読み出し＞
図１２は新規データ収集動作の更に他の実施形態のシーケンスを示す。図１２において、保守装置２３から例えば上りリンクＩＰカウンタ（送信ＩＰパケット数と廃棄ＩＰパケット数、更に受信ＩＰパケット数を追加しても良い）の読み出しを要求するＳＮＭＰメッセージ（送信ＩＰパケット数と廃棄ＩＰパケット数を示す特定ＯＩＤを含む）が送信されると、このＳＮＭＰメッセージは無線装置制御部１１のハイウェイ部１３を介して制御管理部１４に供給される（ステップＳ４１）。
【００６３】
制御管理部１４は要求された上りリンクＩＰカウンタのデータをＭＩＢ−ＤＢ４０の特定ＯＩＤから読み出し、読み出したデータのタイムスタンプに値に有効期間の値を加算した値を現在時刻と比較することで、有効期間を過ぎているか否かを判定する（ステップＳ４２）。
【００６４】
有効期間を過ぎている場合には、制御管理部１４は上りリンクＩＰカウンタつまり上りリンクの送信ＩＰパケット数と廃棄ＩＰパケット数の最新値の読み出し要求（１回の要求）をハイウェイ部１３に送信する（ステップＳ４３）。
【００６５】
ハイウェイ部１３は上りリンクＩＰカウンタつまり上りリンクの送信ＩＰパケット数と廃棄ＩＰパケット数の最新値をハイウェイＤＢ６０から読み出して制御管理部１４に報告する（ステップＳ４４）。
【００６６】
制御管理部１４は受信した上りリンクの送信ＩＰパケット数と廃棄ＩＰパケット数の最新値をＭＩＢ−ＤＢ４０（の特定ＯＩＤのデータのＶａｌｕｅ）に書き込んで更新する（ステップＳ４５）。
【００６７】
その後、制御管理部１４は上記ＭＩＢ−ＤＢ４０の更新を確認すると、更新した上りリンクの送信ＩＰパケット数と廃棄ＩＰパケット数を含む上りリンクＩＰカウンタ読み出し応答のＳＮＭＰメッセージを生成し（ステップＳ４６）、ハイウェイ部１３を介して保守装置２３に送信する（ステップＳ４７）。
【００６８】
その後、再び、保守装置２３から例えば上りリンクＩＰカウンタ（送信ＩＰパケット数と廃棄ＩＰパケット数、更に受信ＩＰパケット数を追加しても良い）の読み出しを要求するＳＮＭＰメッセージ（送信ＩＰパケット数と廃棄ＩＰパケット数を示す特定ＯＩＤを含む）が送信されると、このＳＮＭＰメッセージは無線装置制御部１１のハイウェイ部１３を介して制御管理部１４に供給される（ステップＳ４８）。
【００６９】
制御管理部１４は受信した上りリンクＩＰカウンタのデータをＭＩＢ−ＤＢ４０（の特定ＯＩＤ）から読み出し、読み出したデータのタイムスタンプに値に有効期間の値を加算した値を現在時刻と比較することで、有効期間を過ぎているか否かを判定する（ステップＳ４９）。
【００７０】
有効期間内である場合には、ＭＩＢ−ＤＢ４０から読み出した上りリンクＩＰカウンタつまり上りリンクの送信ＩＰパケット数と廃棄ＩＰパケット数を含む上りリンクＩＰカウンタ読み出し応答のＳＮＭＰメッセージを生成し（ステップＳ５０）、ハイウェイ部１３を介して保守装置２３に送信する（ステップＳ５１）。
【００７１】
＜複合データ収集＞
図１３は複合データ収集動作の一実施形態のシーケンスを示す。図１３において、ハイウェイ部１３のＤＨＣＰ制御部６２は、例えば制御管理部１４のＩＰアドレスの有効期間が満了したときＩＰアドレスの自動更新の要求をＤＨＣＰサーバ２４に送信する（ステップＳ６１）。
【００７２】
ＤＨＣＰサーバ２４は新たな有効期間を付けたＩＰアドレスをハイウェイ部１３に送信し、ハイウェイ部１３は受信した制御管理部１４のＩＰアドレスを制御管理部１４に送信する（ステップＳ６２）。
【００７３】
制御管理部１４は受信したＩＰアドレスを有効期間が満了した部位に設定して更新し（ステップＳ６３）、また、上記ＩＰアドレスをＭＩＢ−ＤＢ４０（の特定ＯＩＤのデータのＶａｌｕｅ）に書き込んで更新する（ステップＳ６４）。このとき、ＭＩＢ−ＤＢ４０における上記ＩＰアドレスの有効期間は「ＮｏＬｉｍｉｔｅ」とされる。
【００７４】
この後、保守装置２３から例えば制御管理部１４のＩＰアドレス及び上りリンクＩＰカウンタ（送信ＩＰパケット数と廃棄ＩＰパケット数、更に受信ＩＰパケット数を追加しても良い）の読み出しを要求するＳＮＭＰメッセージ（制御管理部１４のＩＰアドレスと送信ＩＰパケット数と廃棄ＩＰパケット数を示す特定ＯＩＤを含む）が送信されると、このＳＮＭＰメッセージは無線装置制御部１１のハイウェイ部１３を介して制御管理部１４に供給される（ステップＳ６５）。
【００７５】
制御管理部１４は要求された制御管理部１４のＩＰアドレスと上りリンクＩＰカウンタのデータをＭＩＢ−ＤＢ４０の特定ＯＩＤから読み出し、読み出したデータのタイムスタンプに値に有効期間の値を加算した値を現在時刻と比較することで、有効期間を過ぎているか否かを判定する（ステップＳ６６）。
【００７６】
上りリンクＩＰカウンタのデータが有効期間を過ぎている場合（制御管理部１４のＩＰアドレスは有効期間内）には、制御管理部１４は上りリンクＩＰカウンタつまり上りリンクの送信ＩＰパケット数と廃棄ＩＰパケット数の最新値の読み出し要求（１回の要求）をハイウェイ部１３に送信する（ステップＳ６７）。
【００７７】
ハイウェイ部１３は上りリンクＩＰカウンタつまり上りリンクの送信ＩＰパケット数と廃棄ＩＰパケット数の最新値をハイウェイＤＢ６０から読み出して制御管理部１４に報告する（ステップＳ６８）。
【００７８】
制御管理部１４は受信した上りリンクの送信ＩＰパケット数と廃棄ＩＰパケット数の最新値をＭＩＢ−ＤＢ４０（の特定ＯＩＤのデータのＶａｌｕｅ）に書き込んで更新する（ステップＳ６９）。
【００７９】
その後、制御管理部１４は上記ＭＩＢ−ＤＢ４０の更新を確認すると、ＭＩＢ−ＤＢ４０から読み出した制御管理部１４のＩＰアドレスと更新した上りリンクの送信ＩＰパケット数と廃棄ＩＰパケット数を含む上りリンクＩＰカウンタ読み出し応答のＳＮＭＰメッセージを生成し（ステップＳ７０）、ハイウェイ部１３を介して保守装置２３に送信する（ステップＳ７１）。
【００８０】
上記実施形態では、ＭＩＢ−ＤＢ４０の各ＯＩＤにＭＩＢ名、テーブル名、パラメータ名、タイムスタンプ、有効期間、値（Ｖａｌｕｅ）、それぞれを設定しているが、図１４に示すように、タイムスタンプと有効期間を削除し、代りに予め定義した、ＳＮＭＰメッセージを受信したときの動作情報の取得部位を設定する構成としてもよい。
【００８１】
図１４において、取得部位の「ＭＩＢ」はＳＮＭＰメッセージを受信したとき動作情報をＭＩＢ−ＤＢ４０から取得することを表し、「ＨＷ」はＳＮＭＰメッセージを受信したとき動作情報をハイウェイ部１３から取得することを表し、「ＣＮＴ」はＳＮＭＰメッセージを受信したとき動作情報を制御管理部１４から取得することを表し、「ＢＢ」はＳＮＭＰメッセージを受信したとき動作情報をベースバンド処理部１５から取得することを表し、「ＲＲＨ」はＳＮＭＰメッセージを受信したとき動作情報を無線装置１２から取得することを表している。
【００８２】
この場合、図８のステップＳ６、図１０のステップＳ２２、図１１のステップＳ３２、図１２のステップＳ４２それぞれでは、タイムスタンプと有効期間から有効期間を過ぎているか否かを判定するのではなく、ＭＩＢ−ＤＢ４０のデータの取得部位から動作情報を取得する。この実施形態においても、最新の動作情報を収集することができ、収集処理を最小限にとどめることができ、収集処理の負荷を小さくすることができる。
【００８３】
なお、上記実施形態では、ＭＩＢ−ＤＢ４０とデータ属性テーブル４１を分離しているが、ＭＩＢ−ＤＢ４０の各ＯＩＤにデータ保存場所、内部要求ＩＤ、内部パラメータＩＤを設定することでＭＩＢ−ＤＢ４０とデータ属性テーブル４１を統合することも可能である。
（付記１）
ネットワークに接続されて外部装置との通信を行う無線基地局装置であって、
前記通信の制御及びデータベースに自装置で行う処理の動作情報を蓄積して管理する制御管理部を有し、
前記データベースは、前記動作情報と共に取得日時及び有効期間を格納し、
前記制御管理部は、
前記外部装置から供給される動作情報の読み出し要求により、前記データベースから要求の動作情報を読み出す動作情報読み出し手段と、
前記データベースから前記要求の動作情報と共に読み出される取得日時及び有効期間から前記要求の動作情報が有効期間を過ぎているかを判定する判定手段と、
前記要求の動作情報が有効期間を過ぎている場合に前記要求の動作情報を対応する手段から読み出して前記データベースを更新する動作情報更新手段と、
前記データベースから読み出した又は前記データベースを更新する要求の動作情報を前記外部装置に応答として送信する応答送信手段を有する
ことを特徴とする無線基地局装置。
（付記２）
付記１記載の無線基地局装置において、
前記動作情報更新手段は、前記要求の動作情報を対応する手段から複数同時に読み出すことを特徴とする無線基地局装置。
（付記３）
ネットワークに接続されて外部装置との通信を行う無線基地局装置であって、
前記通信の制御及びデータベースに自装置で行う処理の動作情報を蓄積して管理する制御管理部を有し、
前記データベースに蓄積された各動作情報に対応して取得部位を予め定義し、
前記制御管理部は、
前記外部装置から供給される動作情報の読み出し要求で指示された要求の動作情報の取得部位が前記データベースであるとき前記データベースから要求の動作情報を読み出す動作情報読み出し手段と、
前記要求の動作情報の取得部位が前記データベース以外であるとき前記各手段の取得部位から前記要求の動作情報を読み出して前記データベースを更新する動作情報更新手段と、
前記データベースから読み出した要求の動作情報又は前記データベースを更新する要求の動作情報を前記外部装置に応答として送信する応答送信手段を有する
ことを特徴とする無線基地局装置。
（付記４）
付記３記載の無線基地局装置において、
前記動作情報更新手段は、前記取得部位から前記要求の動作情報を複数同時に読み出すことを特徴とする無線基地局装置。
（付記５）
付記１乃至４のいずれか１項記載の無線基地局装置において、
無線信号の送受信を行う無線送受信手段と、ネットワークに接続されて外部装置との通信を行う通信手段と、前記無線送受信手段及び前記通信手段と接続され上りリンク及び下りリンクのベースバンド処理を行う信号処理手段それぞれは、定期的に自手段の動作情報を前記制御管理部に送信して前記データベースを更新する動作情報定期更新手段を有する
ことを特徴とする無線基地局装置。
（付記６）
ネットワークに接続されて外部装置との通信を行う無線基地局装置の動作情報収集方法であって、
前記無線基地局装置は、前記通信の制御及びデータベースに自装置で行う処理の動作情報を蓄積して管理する制御管理部を有し、
前記データベースに前記動作情報と共に取得日時及び有効期間を格納し、
前記制御管理部は、前記外部装置から供給される動作情報の読み出し要求により、前記データベースから要求の動作情報を読み出し、
前記データベースから前記要求の動作情報と共に読み出される取得日時及び有効期間から前記要求の動作情報が有効期間を過ぎているかを判定し、
前記要求の動作情報が有効期間を過ぎている場合に前記要求の動作情報を対応する手段から読み出して前記データベースを更新し、
前記データベースから読み出した又は前記データベースを更新する要求の動作情報を前記外部装置に応答として送信する
ことを特徴とする動作情報収集方法。
（付記７）
ネットワークに接続されて外部装置との通信を行う無線基地局装置の動作情報収集方法であって、
前記無線基地局装置は、前記通信の制御及びデータベースに自装置で行う処理の動作情報を蓄積して管理する制御管理部を有し、
前記データベースに蓄積された各動作情報に対応して取得部位を予め定義し、
前記制御管理部は、前記外部装置から供給される動作情報の読み出し要求で指示された要求の動作情報の取得部位が前記データベースであるとき前記データベースから要求の動作情報を読み出し、
前記要求の動作情報の取得部位が前記データベース以外であるとき前記各手段の取得部位から前記要求の動作情報を読み出して前記データベースを更新し、
前記データベースから読み出した要求の動作情報又は前記データベースを更新する要求の動作情報を前記外部装置に応答として送信する
ことを特徴とする動作情報収集方法。
（付記８）
付記６記載の動作情報収集方法において、
前記要求の動作情報を対応する手段から読み出す際に、前記要求の動作情報を複数同時に読み出すことを特徴とする動作情報収集方法。
（付記９）
付記７記載の動作情報収集方法において、
前記取得部位から前記要求の動作情報を読み出す際に、前記要求の動作情報を複数同時に読み出すことを特徴とする動作情報収集方法。
【符号の説明】
【００８４】
１０  無線基地局装置
１１  無線装置制御部
１２  無線装置
１３  ハイウェイ部
１４  制御管理部
１５  ベースバンド処理部
１６  アンテナ制御部
１７  アンテナ
２０  ネットワーク
２１  Ｓ−ＧＷ
２２  ＭＭＥ
２３  保守装置
２４  ＤＨＣＰサーバ
３１  プロセッサ間通信部
３２  データ収集部
３３  データ編集部
３４  データ更新部
３５  通信基本デーモン
３６  ＳＮＭＰデーモン
３７  ＳＮＭＰ制御部
３８  呼制御部
３９  網情報制御部
４０  ＭＩＢ−ＤＢ
４１  データ属性テーブル
４２  呼処理ＤＢ
５１  プロセッサ間通信部
５２  データ収集部
５３  定期データ更新部
５４  ハイウェイ処理部
５５  通信基本デーモン
５６  受信信号受付部
５７  優先制御部
５８  暗号解読部
５９  信号振分け部
６０  ハイウェイＤＢ
６１  プロトコル制御部
６２  ＤＨＣＰ制御部
６３  ＩＣＭＰ制御部
６４  暗号化部
【図１】
2011114756.tif 000003
【図２】
2011114756.tif 000004
【図３】
2011114756.tif 000005
【図４】
2011114756.tif 000006
【図５】
2011114756.tif 000007
【図６】
2011114756.tif 000008
【図７】
2011114756.tif 000009
【図８】
2011114756.tif 000010
【図９】
2011114756.tif 000011
【図１０】
2011114756.tif 000012
【図１１】
2011114756.tif 000013
【図１２】
2011114756.tif 000014
【図１３】
2011114756.tif 000015
【図１４】
2011114756.tif 000016